(57)【要約】      （修正有）【課題】一対のイヤリング本体の凹面側の内周面に沿ってそれぞれ一対の板バネを配置し、板バネどうしを係合させて板バネの反発力と耳たぶにかかる圧力とを適度に調整することができる中折れ式イヤリングを提供する。【解決手段】一対のイヤリング本体の凹面側の内周面に沿ってそれぞれ配置され、かつその先端を自由端として前記回転軸の内側において上下に重なるように保持された一対の板バネを備え、さらに、前記板バネ先端の角度を、一対のイヤリング本体が閉じた状態で耳当て部が近接した状態においては一対の板バネは先端が重なった状態で保持され、一対のイヤリング本体が開く方向に動作する際には、下側の板バネ先端が上側の板バネ下面に突き当たって一対のイヤリング本体を閉じる方向に付勢するよう保持したことを特徴とする中折れ式イヤリング。【選択図】図５
0003128991.tif 000002
【実用新案登録請求の範囲】
【請求項１】
互いに凹面側を向き合うようにその一端を回転軸によって軸着し、他端を耳当て部として開放した一対の円弧状をなすイヤリング本体と、前記一対のイヤリング本体の凹面側の内周面に沿ってそれぞれ配置され、かつその先端を自由端として前記回転軸の内側において上下に重なるように保持された一対の板バネとを備え、
さらに、前記板バネ先端の角度を、
一対のイヤリング本体が閉じた状態で耳当て部が近接した状態においては一対の板バネは先端が重なった状態で保持され、
一対のイヤリング本体が開く方向に動作する際には、下側の板バネ先端が上側の板バネ下面に突き当たって一対のイヤリング本体を閉じる方向に付勢するとともに、
一対のイヤリング本体が一定の角度以上に開いた状態となった場合には、前記付勢が解除されるか、逆の向きに付勢されるよう保持したことを特徴とする中折れ式イヤリング。
【請求項２】
一対の板バネが、イヤリング本体の開放端側においてイヤリング本体の内周面に固着されていることを特徴とする請求項１記載の中折れ式イヤリング。
【請求項３】
一対の板バネが、回転軸の内側の自由端部分を直線的に形成したことを特徴とする請求項１または２記載の中折れ式イヤリング。
【請求項４】
耳当て部が、イヤリング本体の開放端部をロール状に巻き込んで筒状の耳当て部とされていることを特徴とする請求項１ないし３のいずれかに記載の中折れ式イヤリング。
【考案の詳細な説明】
【技術分野】
【０００１】
この考案は中折れ式のイヤリングに関するものである。
【背景技術】
【０００２】
従来、中折れ式のイヤリングとしては、一対の挟着部材を連結する連結部分において、その一方の挟着部材に設けた軸受部の内側にバネ板を取り付け、他方の挟着部材に設けた回転部の端部に上記バネ板が係合して、上記挟着部材を耳たぶを挟み付ける方向に付勢するようにしたもの（実用新案登録第３６６３３７号公報・・・特許文献１、特開平７−３２７７１５号公報・・・特許文献２、特開平１０−２５７９０８号公報・・・特許文献３、特開２００１−６１５１９号公報・・・特許文献４、特開２００１−１０４０２４号公報・・・特許文献５、特開２００２−１６５６１９号公報・・・特許文献６、登録実用新案第３０９５４８２号公報・・・特許文献７をそれぞれ参照）。
【特許文献１】実用新案登録第３６６３３７号公報
【特許文献２】特開平７−３２７７１５号公報
【特許文献３】特開平１０−２５７９０８号公報
【特許文献４】特開２００１−６１５１９号公報
【特許文献５】特開２００１−１０４０２４号公報
【特許文献６】特開２００２−１６５６１９号公報
【特許文献７】登録実用新案第３０９５４８２号公報
【考案の開示】
【考案が解決しようとする課題】
【０００３】
これらの中折れ式のイヤリングは一般的に、一方の挟着部材に設けた軸受部の内側にバネ板を取り付け、他方の挟着部材に設けた回転部の端部に上記バネ板が係合して、上記挟着部材を耳たぶを挟み付ける方向に付勢するようにしたものであるが、挟着部材が耳たぶを確実に挟み付けるには板バネの反発力を強くする必要があり、逆にあまり強くしすぎると、耳たぶにかかる圧力によって使用中に短時間で耳たぶが痛くなってしまうという欠点があった。
また、挟着部材には貴金属が使われることが多く、使用中に板バネとの摩擦で磨耗して板バネの反発力が短い期間に聞きにくくなってしまうという欠点も見られる。
【０００４】
そこで本考案は、一対のイヤリング本体の凹面側の内周面に沿ってそれぞれ一対の板バネを配置し、板バネどうしを係合させて板バネの反発力と耳たぶにかかる圧力とを適度に調整することができるようにして、従来イヤリングの上記問題点を解消できる中折れ式イヤリングを提供することを目的とする。
【課題を解決するための手段】
【０００５】
この考案の中折れ式イヤリングは前記課題を解決するため、互いに凹面側を向き合うようにその一端を回転軸によって軸着し、他端を耳当て部として開放した一対の円弧状をなすイヤリング本体と、前記一対のイヤリング本体の凹面側の内周面に沿ってそれぞれ配置され、かつその先端を自由端として前記回転軸の内側において上下に重なるように保持された一対の板バネとを備え、
さらに、前記板バネ先端の角度を、
一対のイヤリング本体が閉じた状態で耳当て部が近接した状態においては一対の板バネは先端が重なった状態で保持され、
一対のイヤリング本体が開く方向に動作する際には、下側の板バネ先端が上側の板バネ下面に突き当たって一対のイヤリング本体を閉じる方向に付勢するとともに、
一対のイヤリング本体が一定の角度以上に開いた状態となった場合には、前記付勢が解除されるか、逆の向きに付勢されるよう保持したことを特徴とするものである。
【０００６】
この考案の中折れ式イヤリングは、上記一対の板バネが、イヤリング本体の開放端側においてイヤリング本体の内周面に固着されていることをも特徴とするものである。
【０００７】
この考案の中折れ式イヤリングは、上記一対の板バネが、回転軸の内側の自由端部分を直線的に形成したことをも特徴とするものである。
【０００８】
この考案の中折れ式イヤリングは、上記耳当て部が、イヤリング本体の開放端部をロール状に巻き込んで筒状の耳当て部とされていることをも特徴とするものである。
【考案の効果】
【０００９】
一対のイヤリング本体の凹面側の内周面に沿ってそれぞれ一対の板バネを配置し、板バネどうしを係合させてイヤリング本体の開閉操作を行うようにしたので、板バネの反発力と耳たぶにかかる圧力とを適度なものに調整することができ、長時間使用してもあまり耳たぶが痛くなることがない。
しかも板バネ間に作用する反発力で耳たぶを確実に挟みつけるので、簡単に耳たぶから外れ落ちてしまうことのない中折れ式イヤリングを提供することができるようになった。
【００１０】
また従来例においては、耳たぶにかかる圧力を適度なものに調整するため、一方の挟着部材に取り付けた板バネが当接する他方の挟着部材に設けた回転部の端部の角度を、研磨等によって微調整する必要があるが、この考案の中折れ式イヤリングにおいては他方の板バネに当接する一方の板バネの取付位置を調整するだけで耳たぶにかかる圧力を適度なものに調整することができ、生産効率が大幅に向上した。
【考案を実施するための最良の形態】
【００１１】
以下、この考案の中折れ式イヤリングの実施の形態を、図面を参照しながら詳細に説明する。
図１はこの考案の中折れ式イヤリングのイヤリング本体を閉じた状態の側面図、図２はその斜視図、図３は閉じた状態を別の角度から見た斜視図、図４はその平面図、図５は開いた状態の斜視図、図６はその平面図、図７は閉じた状態の側面図である。
【００１２】
図示の中折れ式イヤリング１１は、一対の円弧状をなすイヤリング本体１２，１３を備えるとともに、イヤリング本体１２，１３を互いに凹面側を向き合うようにその一端を回転軸１４によって軸着して開閉自在としている。図では上記イヤリング本体１２，１３は金や銀、プラチナ等の貴金属製であることが望ましく、貴金属素材のプレートをプレス加工等によって成形するにより所定の形状に形成したものである。
円弧状に形成された上記イヤリング本体１２，１３は、上記回転軸１４へ取り付けるための軸筒１５部分から円弧状本体１６部分を経て、先端の開放部分の開放端部をロール状に巻き込み、筒状の耳当て部１７を形成している。
【００１３】
また前記一対のイヤリング本体１２，１３の円弧状本体１６部分には、その凹面側の内周面に沿って一対の板バネ１８，１９がそれぞれ配置され、かつその先端を自由端２０，２１として前記回転軸１４の内側において上下に重なるように保持されている。
上記一対の板バネ１８，１９は、回転軸１４の内側の自由端２０，２１部分を直線的に形成することにより、両者がほぼ平行に重なるよう形成されていて、イヤリング本体１２，１３の開放端の耳当て部１７が、耳たぶを一定の弾性力で挟み付けるように考慮されている。
【００１４】
上記一対の板バネ１８，１９は、イヤリング本体１２，１３の開放端側においてイヤリング本体１２，１３の内周面に形成した抜け止め片２２，２３によって固着しており、その先端には上述のように自由端２０，２１が形成されている。
【００１５】
そして、図１ないし図４のように、一対のイヤリング本体１２，１３が閉じた状態でかつ耳当て部１７が近接した状態においては、一対の板バネ１８，１９先端の自由端２０，２１が重なった状態で保持されている。
【００１６】
次に、図５ないし図７のように、一対のイヤリング本体１２，１３が開いた状態においては、下位置の板バネ１８の自由端２０先端が、上位置の板バネ１９の自由端２１の下面に突き当たるように係合し、一対のイヤリング本体１２，１３が所定の角度以上に開くと両者は９０°以上の角度となるので、一対のイヤリング本体１２，１３は開いた状態の保持されるのである。
【００１７】
すなわち、一対のイヤリング本体１２，１３が閉じた状態から一対のイヤリング本体１２，１３が開く方向に動作する際には、下位置の板バネ１８の自由端２０先端が上位置の板バネ１９の自由端２１の下面に突き当たりながら開いていく。その際、一対の板バネ１８，１９先端の自由端２０，２１がなす角度が９０°までの角度においては、板バネ１８，１９はイヤリング本体１２，１３が閉じる方向に付勢する。
また、一対の板バネ１８，１９先端の自由端２０，２１がなす角度が９０°以上の角度になた場合には、上記板バネ１８，１９はイヤリング本体１２，１３が開く方向に付勢するよう作用する。
【００１８】
この考案においては、一対のイヤリング本体１２，１３の凹面側の内周面に沿って一対の板バネ１８，１９を配置し、かつその先端を自由端２０，２１として互いに係合させているので、上記一対の板バネ１８，１９のそれぞれの弾性力は、互いに協同して作用するようになる。
したがって、板バネ１８，１９の反発力と耳たぶにかかる圧力とをソフトでかる適度なものに調整することが可能となり、この考案の中折れ式イヤリングを長時間使用してもあまり耳たぶが痛くなることがない。
【００１９】
また、イヤリング本体１２，１３は所定のデザインを施すことが可能であり、イヤリング本体１２，１３の一方を耳たぶの裏側に、他方を耳たぶの表側に配置して装着使用したり、それを反対の向きにして使用することもできる。
なお、前記実施例はイヤリングデザインがほぼ円形であるが、デザインはこれに限定されるものではなく、任意に種々採用することができる。
【産業上の利用可能性】
【００２０】
この考案は中折れ式イヤリングとして提供したが、イヤリングとしてのみならず、装身具の用途であれば種々の用途に使用することができることはいうまでもない。
【図面の簡単な説明】
【００２１】
【図１】この考案の中折れ式イヤリングのイヤリング本体を閉じた状態の側面図である。
【図２】その斜視図である。
【図３】閉じた状態を別の角度から見た斜視図である。
【図４】その平面図である。
【図５】開いた状態の斜視図である。
【図６】その平面図である。
【図７】閉じた状態の側面図である。
【符号の説明】
【００２２】
１２，１３  イヤリング本体
１４  回転軸
１５  軸筒
１６  円弧状本体
１７  耳当て部
１８，１９  板バネ
２０，２１  自由端
２２，２３  抜け止め片
【図１】
0003128991.tif 000003
【図２】
0003128991.tif 000004
【図３】
0003128991.tif 000005
【図４】
0003128991.tif 000006
【図５】
0003128991.tif 000007
【図６】
0003128991.tif 000008
【図７】
0003128991.tif 000009